(57)【要約】【課題】  アイロン台の保管場所の面積を、使用状態に応じて適宜低減することができ、しかも高さ調整機能付きのアイロン掛け用基台を提供する。【解決手段】  長手方向を有する平面形状に整形されているアイロン台本体１と、このアイロン台本体１を裏面から支えると共に伸縮可能なアイロン台脚体２とを備え、このアイロン台脚体２の伸縮によりアイロン掛け用基台の高さを調整可能である。アイロン台脚体２が縮められたアイロン掛け用基台をアイロン台本体１の長手方向が、上下方向となる縦向き姿勢で床面に自立させるアイロン台自立構造が備わっている。【選択図】  図８
0003105423.tif 000002
【実用新案登録請求の範囲】
【請求項１】
長手方向を有する平面形状に整形されているアイロン台本体と、このアイロン台本体を裏面から支えると共に伸縮可能なアイロン台脚体とを備え、このアイロン台脚体の伸縮によりアイロン掛け用基台の高さを調整可能なアイロン掛け用基台において、前記アイロン台脚体が縮められたアイロン掛け用基台をアイロン台本体の長手方向が、上下方向となる縦向き姿勢で床面に自立させるアイロン台自立構造が備わっていることを特徴とするアイロン掛け用基台。
【請求項２】
前記アイロン台脚体は、前記アイロン台本体の長手方向一側裏面に上端部がアイロン台本体の長手方向へ向けて起伏回動可能に軸支されている一方側脚片と、前記アイロン台本体の長手方向他側裏面にアイロン台本体の長手方向へ向けて起伏回動可能に上端部が軸支されている他方側脚片と、前記一方側脚片および他方側脚片の長手方向中間の交差点で互いに交わってＸ字状に交差している前記両脚片を回動可能に前記交差点で軸支する水平軸と、前記他方側脚片の上端部の軸支位置を前記アイロン台本体の長手方向に沿って変更する上端部軸支位置変更機構とを有し、前記両脚片が水平軸を支点として回動して前記アイロン台脚体の開脚度が変化すると同時に、前記アイロン台脚体の開脚度の変化に応じて前記他方側脚片の上端部の軸支位置が変更されることによりアイロン台脚体が伸縮する構成とされていると共に、アイロン台脚体が十分に縮められた前記アイロン掛け用基台では、前記アイロン台本体の長手方向片側端と、前記アイロン台本体の長手方向片側と反対の側に上端部が軸支されている前記アイロン台脚体の一方側脚片の下端が、前記アイロン台本体の長手方向片側端と一方側脚片の下端を床面に接地して、前記アイロン掛け用基台を縦向き姿勢で立たせるだけで前記アイロン掛け用基台が自立し続けられる距離を隔てて略面一となっている構成としたことにより、前記アイロン掛け用基台自立構造が備わっている請求項１に記載のアイロン掛け用基台。
【請求項３】
前記アイロン台本体の長手方向片側端と前記アイロン台脚体の一方側脚片の下端に、前記アイロン掛け用基台を自立させる床面に対して滑り止め機能を発揮する滑り止め部材が取り付けられている請求項２に記載のアイロン掛け用基台。
【請求項４】
前記アイロン台本体は、その長手方向片側が幅の狭い舟首側で反対側が幅の広い舟尾側となる舟形を呈する平面形状に整形されていて、前記アイロン台自立構造は前記アイロン台本体の舟尾側に備わっている請求項２又は３に記載のアイロン掛け用基台。
【請求項５】
前記アイロン台本体は、長手方向片側が前記アイロン台本体の裏側へ収納可能なアイロン受けとなっていて、このアイロン受けは長手方向片側端が前記アイロン台本体の長手方向に対して直角上側へ折れ曲がって屈曲部となっていると共に、この屈曲部に床面に対して滑り止め機能を発揮する滑り止め部材が取り付けられており、アイロン台を床面に自立させる際は、前記アイロン受けが前記屈曲部は除いて略全体が前記アイロン台本体の裏側へ収容された状態とされると共に、前記アイロン台本体の屈曲部が前記滑り止め部材ごと床面に付けられる構成とした請求項４に記載のアイロン掛け用基台。
【考案の詳細な説明】
【技術分野】
【０００１】
本考案はアイロン掛け用基台に関し、詳しくは高さ調節可能なアイロン掛け用基台に関する。
【背景技術】
【０００２】
アイロン台に高さ調整機能を付与して、使用上の利便性を高めると共に、収納・保管時にも便利なようにしたアイロン台の考案がなされている。そのような考案として、例えば、実開昭６２−１６５９９９号に示されるものがある。図１０は、従来の高さ調整機能付きアイロン台を、裏面を上向きにして示す斜視図である。このアイロン台は、長手方向を有する平面形状に整形されているアイロン台本体５１と、アイロン台本体５１を裏面から支える脚の伸縮が可能なアイロン台脚体５２とからなる。
【０００３】
アイロン台脚体５２は、アイロン台本体５１の長手方向一側裏面に上端部がアイロン台本体の長手方向へ向けて起伏回動可能に軸支されている一方側脚片５３と、アイロン台本体５１の長手方向他側裏面にアイロン台本体５２の長手方向へ向けて起伏回動可能に上端部が軸支されている他方側脚片５４と、一方側脚片および他方側脚片の長手方向中間の交差点で互いに交わってＸ字状に交差している両脚片を回転可能に前記交差点で軸支する水平軸５５と、他方側脚片５４の上端部の軸支位置をアイロン台本体５１の長手方向に沿って変更する上端部軸支位置変更機構５６とを有する。そして、両脚片５３，５４が水平軸５５を支点として回転してアイロン台脚体５２の開脚度が変化すると同時に、アイロン台脚体５２の開脚度の変化に応じて他方側脚片５４の上端部の軸支位置がアイロン台本体５１の長手方向に沿って変更されることにより、アイロン台脚体５２の脚が伸縮するようになっている。
【０００４】
したがって、アイロン使用者が使用し易い高さにアイロン台を調節できると共に、使い終えて保管する場合、アイロン台脚体５２の脚を停止位置にまで十分に縮めると、アイロン台の嵩は、殆どアイロン台本体５１の厚みとアイロン台脚体５２の両脚片５３，５４の太さを併せた寸法にまで全体を縮小できる。
【考案の開示】
【考案が解決しようとする課題】
【０００５】
しかしながら、上記従来のアイロン台は、アイロン台脚体５２の脚片を縮めたとしても、保管する際に少なくないスペースが必要である。すなわち、アイロン台脚体５２の脚片を停止位置まで十分に縮めることで、アイロン台の嵩は低くなっても、アイロン台本体５１の広さは変わらない。その結果、アイロン台を保管しようとすると、最低限、アイロン台本体５１の広さと同じ面積の保管スペースが必要となる。その結果、アイロン台の保管には、少なくない保管スペースが必要となる。また、一時的に壁面などに立てかけておいたとしても、安定に立てかけておく機構が備わっていないため不安定であり、時間経過に従い自然に倒れるか、振動によりあるいは不用意に人と接触する等により、簡単に倒れるという問題がある。
【０００６】
そこで、本考案は上記実情に鑑みてなされたものであり、その課題は、保管場所でのアイロン台の占める面積を、使用状態に応じて適宜低減することができ、しかも高さ調整機能付きのアイロン掛け用基台を提供することにある。
【課題を解決するための手段】
【０００７】
上記課題は、請求項記載の考案により達成される。すなわち、本考案に係るアイロン掛け用基台の特徴構成は、長手方向を有する平面形状に整形されているアイロン台本体と、このアイロン台本体を裏面から支えると共に伸縮可能なアイロン台脚体とを備え、このアイロン台脚体の伸縮によりアイロン掛け用基台の高さを調整可能なアイロン掛け用基台において、前記アイロン台脚体が縮められたアイロン掛け用基台をアイロン台本体の長手方向が、上下方向となる縦向き姿勢で床面に自立させるアイロン台自立構造が備わっていることにある。
【０００８】
本考案のアイロン掛け用基台（以下、適宜「アイロン台」と略記）では、アイロン台本体を裏面から支えるアイロン台脚体を伸ばすと、アイロン台の高さは高くなり、アイロン台脚体を縮めると、アイロン台の高さは低くなる。また、アイロン台を一時的あるいは次の使用時まで保管する際は、アイロン台脚体を停止位置にまで十分に縮める。そして、アイロン台脚体が十分に縮められたアイロン台を、アイロン台自立構造によって、アイロン台本体の長手方向が上下方向となる縦向き姿勢で床面上などに自立させる。
【０００９】
アイロン台脚体が十分に縮められたアイロン台の嵩は、殆どアイロン台本体の厚みとアイロン台脚体の太さを併せた寸法にまで縮小する。したがって、アイロン台を縦向き姿勢の自立状態で保管すれば、アイロン台の保管場所の面積は、実質上、〔アイロン台本体の厚みとアイロン台脚体の脚片の太さを併せた寸法〕×〔アイロン台本体の幅〕の面積で概ね足りることになる。保管は、作業を再開するまでの一時的な場合、あるいは作業の一区切りが完了し、比較的長く保管する場合のいずれに対しても適用され、いずれの場合にも、保管スペースが低減されるので使用に当たり、従来のアイロン台に比べて利便性は極めて高いものである。
【００１０】
その結果、本考案のアイロン台によれば、保管場所でのアイロン台の占める面積を、使用状態に応じて適宜低減することができ、しかも高さ調整機能付きのアイロン掛け用基台を提供することができた。
【００１１】
本考案の好ましい実施形態として、前記アイロン台脚体は、前記アイロン台本体の長手方向一側裏面に上端部がアイロン台本体の長手方向へ向けて起伏回動可能に軸支されている一方側脚片と、前記アイロン台本体の長手方向他側裏面にアイロン台本体の長手方向へ向けて起伏回動可能に上端部が軸支されている他方側脚片と、前記一方側脚片および他方側脚片の長手方向中間の交差点で互いに交わってＸ字状に交差している前記両脚片を回動可能に前記交差点で軸支する水平軸と、前記他方側脚片の上端部の軸支位置を前記アイロン台本体の長手方向に沿って変更する上端部軸支位置変更機構とを有し、前記両脚片が水平軸を支点として回動して前記アイロン台脚体の開脚度が変化すると同時に、前記アイロン台脚体の開脚度の変化に応じて前記他方側脚片の上端部の軸支位置が変更されることによりアイロン台脚体が伸縮する構成とされていると共に、アイロン台脚体が十分に縮められた前記アイロン掛け用基台では、前記アイロン台本体の長手方向片側端と、前記アイロン台本体の長手方向片側と反対の側に上端部が軸支されている前記アイロン台脚体の一方側脚片の下端が、前記アイロン台本体の長手方向片側端と一方側脚片の下端を床面に接地して、前記アイロン掛け用基台を縦向き姿勢で立たせるだけで前記アイロン掛け用基台が自立し続けられる距離を隔てて略面一となっている構成としたことにより、前記アイロン掛け用基台自立構造が備わっている形態が挙げられる。
【００１２】
この実施形態によれば、アイロン台の高さを上げる場合は、両脚片が水平軸を支点として回動してアイロン台脚体の開脚度が小さくなると同時にアイロン台脚体の開脚度の減少に応じて、他方側脚片の上端部の軸支位置が内寄りに変更されることにより、アイロン台脚体の脚片が伸びて、アイロン台の高さを上昇できる。
【００１３】
逆に、アイロン台の高さを下げる場合は、両脚片が水平軸を支点として逆方向に回転し、アイロン台脚体の開脚度が大きくなると同時にアイロン台脚体の開脚度の減少に応じて、他方側脚片の上端部の軸支位置が外寄りに変更されることにより、アイロン台脚体の脚片が縮んで、アイロン台の高さを下げることができる。
【００１４】
アイロン台を保管する場合は、アイロン台脚体の脚が十分に縮め、アイロン台本体の長手方向片側端と、アイロン台本体の長手方向片側と反対の側に上端部が軸支されているアイロン台脚体の一方側脚片の下端を略面一にしてから、アイロン台本体の長手方向片側端と一方側脚片の下端を床面に付けてアイロン台を縦向き姿勢で床面に置いて立たせる。そうすれば、アイロン台は縦向き姿勢で自立したままの状態で保管される。
【００１５】
したがって、この実施形態の場合、アイロン台脚体の脚片を十分に縮めた時には、アイロン台本体の長手方向片側端と、長手方向片側とは反対の側に上端部が軸支されているアイロン台脚体の一方側脚片の下端が、アイロン台本体の長手方向片側端と一方側脚片の下端を床面に付けてアイロン台を縦向き姿勢で立たせるだけでアイロン台が自立し続けられる距離を隔てて略面一となっているように構成するだけで、格別な装備を要することなく、アイロン台自立構造を備えられることになる。
【００１６】
本考案の他の好ましい実施形態として、前記アイロン台本体の長手方向片側端と前記アイロン台脚体の一方側脚片の下端に、前記アイロン掛け用基台を自立させる床面に対して滑り止め機能を発揮する滑り止め部材が取り付けられている形態が挙げられる。
【００１７】
この実施形態によれば、アイロン台本体の長手方向片側端と一方側脚片の下端を床面に付けてアイロン台を縦向き姿勢で床面に自立させた時に、アイロン台本体の長手方向片側端や一方側脚片の下端が床面を滑ってアイロン台が倒れるのを防止できるので、アイロン台の自立は確実なものとなる。
【００１８】
本考案の他の好ましい実施形態として、前記アイロン台本体は、その長手方向片側が幅の狭い舟首側で反対側が幅の広い舟尾側となる舟形を呈する平面形状に整形されていて、前記アイロン台自立構造は前記アイロン台本体の舟尾側に備わっている形態が挙げられる。
【００１９】
この実施形態によれば、アイロン台本体が一般に馴染まれている典型的な舟形を呈する長尺状の平面形状に整形されているので、使用者にとって使い易いアイロン台になる。また、床面に付けられるアイロン台本体の長手方向片側端は幅が広い船尾側であるので、アイロン台本体の長手方向片側端を床面に付けた時に滑り難く、アイロン台の自立はより安定して確実なものとなる。
【００２０】
本考案の他の好ましい実施形態として、前記アイロン台本体は、長手方向片側が前記アイロン台本体の裏側へ収納可能なアイロン受けとなっていて、このアイロン受けは長手方向片側端が前記アイロン台本体の長手方向に対して直角上側へ折れ曲がって屈曲部となっていると共に、この屈曲部に床面に対して滑り止め機能を発揮する滑り止め部材が取り付けられており、アイロン台を床面に自立させる際は、前記アイロン受けが前記屈曲部は除いて略全体が前記アイロン台本体の裏側へ収容された状態とされると共に、前記アイロン台本体の屈曲部が前記滑り止め部材ごと床面に付けられる構成とした形態が挙げられる。
【００２１】
この実施形態によれば、アイロンをかける際、アイロン台本体の裏側からアイロン受けを引き出しておけば、何時でもアイロンをアイロン台本体の直ぐ横へ置けるので、能率良くアイロンがかけられる。また、アイロン受けは、長手方向片側端がアイロン台本体の長手方向に対して直角上側へ折れ曲がって屈曲部となっているので、アイロン受けに置かれたアイロンが長手方向片側端縁から落下するのを屈曲部が確実に防止する。
【００２２】
また、アイロン台を縦向き姿勢で床面に自立させた時には、屈曲部は床面と平行になって倒れ止め機能を発揮すると共に、屈曲部に取り付けられた滑り止め部材が床面に対して滑り止め機能を発揮するので、アイロン台の自立はより確実なものとなる。
【考案を実施するための最良の形態】
【００２３】
本考案の実施形態を、図面を参照して詳細に説明する。図１は本実施形態に係るアイロン台のアイロン台脚体を伸ばした起立状態を示す斜視図、図２は図１のアイロン台の正面図、図３は図１のアイロン台の背面図、図４は図１のアイロン台の平面図、図５は図１のアイロン台の底面図である。
【００２４】
このアイロン台は、長手方向を有する平面形状に整形されているアイロン台本体１と、このアイロン台本体１を裏面から支える脚の伸縮が可能なアイロン台脚体２などとを備える。アイロン台本体１は、アイロン台本体１の長手方向他側（長手方向片側と反対の側）が幅の狭い舟首側で、長手方向一側（長手方向片側）が幅の広い舟尾側となる舟形をした長手方向を有する平面形状に整形されている。
【００２５】
アイロン台本体１は、アイロン台本体１の平面形状に見合う形の枠体１Ａと、この枠体１Ａの表面を覆うように張り付けられた網体１Ｂを有する。枠体１Ａや網体１Ｂには、通常、金属材などが用いられる。網体１Ｂの上面側には、一般に、クッション材やカバー材などが交換可能な状態で被着されて使用される。
【００２６】
アイロン台脚体２は、アイロン台本体１の長手方向一側裏面に上端部がアイロン台本体１の長手方向へ向けて起伏回動可能に軸支されている一方側脚片２Ａと、アイロン台本体１の長手方向他側裏面にアイロン台本体１の長手方向へ向けて起伏回動可能に上端部が軸支されている他方側脚片２Ｂと、一方側脚片２Ａおよび他方側脚片２Ｂの長手方向中間の交差点で互いに交わりＸ字状に交差している両脚片２Ａ，２Ｂを回転可能に前記交差点で軸支する水平軸２Ｃと、他方側脚片２Ｂの上端部の軸支位置をアイロン台本体１の長手方向に沿って変更する上端部軸支位置変更機構２Ｄとを有する。
【００２７】
一方側脚片２Ａは、平行配置の２本の立脚用ロングロッド２Ａ１，２Ａ２と両ロングロッド２Ａ１，２Ａ２の下端に連結固定されている接地用ベースロッド２Ａ３と、立脚用ロングロッド２Ａ１，２Ａ２の上端に連結固定されている回動用水平ロッド２Ａ４とからなる。一方側脚片２Ａの上端部の軸支は、回動用水平ロッド２Ａ４をアイロン台本体１の枠体１Ａで回動可能に支承することによりなされる。
【００２８】
他方側脚片２Ｂは、１本の立脚用ロングロッド２Ｂと、このロングロッド２Ｂ１の下端に連結固定されている接地用ベースロッド２Ｂ２と、立脚用ロングロッド２Ｂ１の上端に連結固定されている回動用水平ロッド２Ｂ３とからなる。一方側脚片２Ｂの上端部の軸支は、回動用水平ロッド２Ｂ３をアイロン台本体１の枠体１Ａで回動可能に支承することによりなされる。
【００２９】
そして、一方側脚片２Ａの２本の立脚用ロングロッド２Ａ１，２Ａ２の間に、他方側脚片２Ｂの立脚用ロングロッド２Ｂが互いに交差するようにして挿通されていると共に、立脚用ロングロッド２Ａ１，２Ａ２と立脚用ロングロッド２Ｂが、水平軸２Ｃにより回動可能に軸支されている。
【００３０】
上端部軸支位置変更機構２Ｄは、他方側脚片２Ｂの上端部から一方側脚片２Ａの上端部へ向けて適当な所定の間隔で係止用凹みが連続的に設けられていると共に、基端部が他方側脚片２Ｂの回動用水平ロッド２Ｂ３で回転可能に支承されている２本の平行配置の水平アーム２Ｄ１，２Ｄ２と、回動用水平ロッド２Ｂ３を支承している水平アーム２Ｄ１，２Ｄ２ごとアイロン台本体１の裏側を長手方向に向けて保持したまま案内すると共に、アイロン台本体１の枠体１Ａに一体的に配置されているガイドレール２Ｄ３，２Ｄ４と、水平アーム２Ｄ１，２Ｄ２の係止用凹みと係合することにより回動用水平ロッド２Ｂ３と水平アーム２Ｄ１，２Ｄ２の移動を停止させると共に、ハンドル部２Ｄ５ａの引き上げ操作中は水平アーム２Ｄ１，２Ｄ２の係止用凹みとの係合を解除状態とする係止レバー２Ｄ５とからなる。
【００３１】
更に、上端部軸支位置変更機構２Ｄには、図６に示すように、係止レバー２Ｄ５を水平アーム２Ｄ１，２Ｄ２の係止用凹みと係合する方向に付勢する金属バネ２Ｄ６と、アイロン台脚体２の脚片が縮められた状態を維持するための脚伸び阻止用ピース２Ｄ７および脚伸び阻止用リング２Ｄ８がハンドル部２Ｄ５ａ寄りの位置に配設されている。脚伸び阻止用ピース２Ｄ７は、係止レバー２Ｄ５の側にハンドル部２Ｄ５ａの引上げ操作に伴って回動する状態で一体的に固定されていて、脚伸び阻止用ピース２Ｄ７が水平軸２Ｃの突出部２Ｃａと係合することにより、アイロン台脚体２の脚片は伸びなくなる構成となっている。脚伸び阻止用リング２Ｄ８は、チェーン２Ｄ８ａを介して係止レバー２Ｄ５あるいは枠体１Ａに接続されていて、脚伸び阻止用リング２Ｄ８が、水平軸２Ｃの突出部２Ｃａと嵌められることにより、アイロン台脚体２の脚片はチェーン２Ｄ８ａの伸びきるところで、それ以上は伸びない構成とされている。
【００３２】
以上の構成を有するアイロン台脚体２において、この脚体を伸縮させる場合には、水平アーム２Ｄ１，２Ｄ２の係止用凹みと係止レバー２Ｄ５の係合は外された状態で、一方側脚片２Ａおよび他方側脚片２Ｂが水平軸２Ｃを支点として回転して、アイロン台脚体２の開脚度が変化すると同時に、アイロン台脚体２の開脚度の変化に応じて他方側脚片２Ｂの回動用水平ロッド２Ｂ３が、水平アーム２Ｄ１，２Ｄ２毎ガイドレール２Ｄ３，２Ｄ４に案内されながらアイロン台本体１の裏側を長手方向に向けて移動して、他方側脚片２Ｂの上端部の軸支位置が変更されることにより、アイロン台脚体２の脚が伸縮する構成とされている。
【００３３】
一方、水平アーム２Ｄ１，２Ｄ２の係止用凹みと係止レバー２Ｄ５の係合は、係止レバー２Ｄ５のハンドル部２Ｄ５ａの引上げにより解除される。また、脚伸び阻止用ピース２Ｄ７と水平軸２Ｃの突出部２Ｃａの係合も係止レバー２Ｄ５のハンドル部２Ｄ５ａの引上げにより解除される。しかし、脚伸び阻止用リング２Ｄ８と水平軸２Ｃの突出部２Ｃａの接続は、手操作により水平軸２Ｃの突出部２Ｃａから脚伸び阻止用リング２Ｄ８を外すことによって解除される。
【００３４】
したがって、アイロン台脚体２の脚片を伸ばす場合、脚伸び阻止用リング２Ｄ８が接続されていれば、まず、これを外してから、ハンドル部２Ｄ５ａを引き上げ、同時にアイロン台本体１を上方に持ち上げる。そうすると、一方側脚片２Ａおよび他方側脚片２Ｂが水平軸２Ｃを支点として回転して、アイロン台脚体２の開脚度が減少すると共に、アイロン台脚体２の開脚度の減少に応じて、他方側脚片２Ｂの上端部の軸支位置が内寄りに変更されることにより、アイロン台脚体２の脚片が伸びる。アイロン台脚体２の脚片が所望分だけ伸びたところで、アイロン台本体１を手から離せば、直ちに水平アーム２Ｄ１，２Ｄ２の係止用凹みと係止レバー２Ｄ５とが係合し、アイロン台脚体２の脚片が伸びた状態が維持されると同時に、アイロン台脚体２の脚片が伸びた分だけアイロン台の高さが上昇することになる。
【００３５】
逆に、アイロン台脚体１の脚片を縮める場合、先ず係止レバー２Ｄ５のハンドル部２Ｄ５ａを手で上に引き上げながら、同時にアイロン台本体１を押し気味にする。そうすると、一方側脚片２Ａおよび他方側脚片２Ｂが、アイロン台本体１の重みだけで水平軸２Ｃを支点として回転し、アイロン台脚体２の開脚度が増加すると共に、アイロン台脚体２の開脚度の増加に応じて、他方側脚片２Ｂの上端部の軸支位置が外寄りに変更されることにより、アイロン台脚体２の脚片は縮む。アイロン台脚体２の脚片が所望分だけ縮んだところで、係止レバー２Ｄ５のハンドル部２Ｄ５ａから手を離せば、直ちに水平アーム２Ｄ１，２Ｄ２の係止用凹みと係止レバー２Ｄ５とが係合し、アイロン台脚体２の脚片が縮んだ状態が維持されると共に、アイロン台脚体２の脚片が縮んだ分だけアイロン台の高さが下がる。
【００３６】
なお、アイロン台脚体１の脚を完全に縮めた場合には、図７に示すように、アイロン台が最低の高さになり、アイロン台の嵩は、殆どアイロン台本体１の厚みとアイロン台脚体２の脚片２Ａ，２Ｂの太さを合わせた寸法にまで縮小する。その際、脚伸び阻止用ピース２Ｄ７と水平軸２Ｃの突出部２Ｃａとの係合が同時に自動的に生じるので、アイロン台脚体２の脚片が不用意に伸びるといった事態が起こらないようになっている。
【００３７】
アイロン台本体１は、図９にも示すように、長手方向他側（長手方向片側）がアイロン台本体１の裏側へ収納可能なアイロン受け３となっていて、アイロン受け３の長手方向他側端（長手方向片側端）がアイロン台本体１の長手方向に対して直角上側へ折れ曲がって屈曲部３Ａとなっている。アイロン受け３は適当に組み付けられた細径の鋼線材からなり、両側の鋼材がアイロン台本体１の裏面に設けられた保持部材３Ｂ，３Ｂの貫通孔にスライド移動可能に挿通されていて、屈曲部３Ａを手で引っ張れば、アイロン受け３が引き出され、屈曲部３Ａを手で押しやれば、アイロン受け３が収納される構成とされている。
【００３８】
したがって、アイロンをかける際、アイロン受け３をアイロン台本体の裏側から引き出しておけば、何時でもアイロン台本体１の直ぐ横へアイロンが置けるので、能率良くアイロンがかけられる。また、アイロン受け３に置かれたアイロンが長手方向一側端縁から下に落ちるのを屈曲部３Ａが防いでくれる。
【００３９】
加えて、実施形態のアイロン台の場合、一方側脚片２Ａの接地用ベースロッド２Ａ３には、床面に対して滑り止め機能を発揮する滑り止め部材２ａが取り付けられている。他方側脚片２Ｂの接地用ベースロッド２Ｂ２にも、床面に対して滑り止め機能を発揮する滑り止め部材２ｂが取り付けられている。また、アイロン受け３の屈曲部３Ａにも、床面に対して滑り止め機能を発揮する滑り止め部材３ａが取り付けられている。
【００４０】
滑り止め部材２ａ，２ｂ，３ａとしては、熱可塑性エラストマー、各種ゴムなどを用いることができる。この内、滑り止め部材２ａ，２ｂに比べて滑り止め部材３ａは、外径が小さく、それだけ大きい摩擦力が負荷されるので、滑り止め機能の高い軟質材を用いることが好ましく、表面に溝を形成する等、凹凸形状にすることも好ましい。
【００４１】
続いて、以上に述べた構成を有する本実施形態のアイロン台の保管について説明する。
【００４２】
このアイロン台を保管する場合、図８に示すように、アイロン台脚体２の脚を十分に縮めて、アイロン台本体１の長手方向一側端であるアイロン受け３の屈曲部３Ａと、アイロン台本体１の長手方向他側に上端部が軸支されている他方側脚片２Ｂの下端を略面一にしてから、アイロン受け３の屈曲部３Ａと他方側脚片２Ｂの下端を床面に付けてアイロン台を縦向き姿勢で床面に置いて立たせる。そうすれば、アイロン台は縦向き姿勢で自立したままの状態で保管される。
【００４３】
その際、脚伸び阻止用リング２Ｄ８が水平軸２Ｃの突出部２Ｃａに嵌められていれば、アイロン台脚体２の脚片は図８に示す状態以上に伸びることはなく、縦向き姿勢で保管している時にアイロン台脚体２の脚片が不用意に伸びる事態を確実に阻止できる。
【００４４】
すなわち、このアイロン台の場合、アイロン台脚体２の脚片を十分に縮めた時には、アイロン台本体１の長手方向一側端であるアイロン受け３の屈曲部３Ａと、アイロン台本体１の長手方向他側の方に上端部が軸支されているアイロン台脚体２の他方側脚片２Ｂの下端とが、アイロン台脚体２の他方側脚片２Ｂの下端とアイロン受け３の屈曲部３Ａを床面に付けてアイロン台を縦向き姿勢で立たせるだけでアイロン台が自立し続けられる距離を隔てて略面一となっているように構成するだけで、格別な装備を要することなく、アイロン台自立構造が、舟形をしたアイロン台本体１の幅の広い船尾側に備わっている。
【００４５】
そして、アイロン台脚体２の脚片が十分に縮められたアイロン台の嵩は、殆どアイロン台本体１の厚みとアイロン台脚体２の脚片２Ａ，２Ｂの太さを併せた寸法にまで縮小される。したがって、アイロン台を縦向き姿勢で自立させた状態で保管すれば、アイロン台の保管場所の面積は、実質上、〔アイロン台本体１の厚みとアイロン台脚体２の脚片２Ａ，２Ｂの太さを併せた寸法〕×〔アイロン台本体１の幅〕の面積で概ね足りる。その結果、従来のアイロン台のように、長手方向に倒して保管するか、アイロン台の上面あるいは底面を上方にして保管する場合に比べて、アイロン台の保管場所の面積を顕著に低減できる。
【００４６】
また、アイロン台を縦向き姿勢で自立させた場合、他方側脚片２Ｂの接地用ベースロッド２Ｂ２に取り付けられた滑り止め部材２ｂとアイロン受け３の屈曲部３Ａに取り付けられた滑り止め部材３ａとが、床面に対して滑り止め機能を発揮するので、アイロン受け３の屈曲部３Ａや、他方側脚片２Ｂの下端が、床面を滑ってアイロン台が倒れるのを防止でき、アイロン台の自立は確実なものとなる。
【００４７】
加えて、アイロン台自立構造は、舟形をしたアイロン台本体１の幅の広い船尾側に備わっていて、アイロン台本体１の長手方向一側端であるアイロン受け３の屈曲部３Ａを床面に付けた時に滑り難く、アイロン台の自立はより確実なものとなる。それに、アイロン台を縦向き姿勢で床面に自立させた際には、屈曲部３Ａは床面と平行になって倒れ止め機能を発揮する点でも、アイロン台の自立はいっそう確実なものとなる。
〔別実施の形態〕
（１）上記実施形態では、アイロン台本体１がアイロン受け３を有する構成であったが、アイロン台本体１はアイロン受け３を有しておらず、アイロン台を縦向き姿勢で床面に自立させた際に、アイロン台本体１の枠体１Ａの端が床面に接する構成であってもよい。
（２）上記実施形態の場合、アイロン台自立構造は、舟形をしたアイロン台本体１の幅の広い船尾側に備えられていたが、舟形をしたアイロン台本体１の幅の狭い船首側にアイロン台自立構造が備えられている構成であってもよい。
（３）本考案のアイロン台は、上端部軸支位置変更機構２Ｄが手動操作によって、他方側脚片２Ｂの上端部の軸支位置をアイロン台本体１の長手方向に沿って変更する構成であってもよい。
（４）上記実施形態のアイロン台本体は、金属製である例を示したが、全体を樹脂製で構成してもよい。その場合、耐熱性樹脂で構成されることが好ましい。
【図面の簡単な説明】
【００４８】
【図１】本考案の一実施形態に係るアイロン台をアイロン台脚体の脚片が伸びた状態で示す斜視図
【図２】図１のアイロン台の正面図
【図３】図１のアイロン台の背面図
【図４】図１のアイロン台の平面図
【図５】図１のアイロン台の底面図
【図６】図５のアイロン台の部分拡大底面図
【図７】図１のアイロン台をアイロン台脚体の脚片が縮んだ状態で示す正面図
【図８】図１のアイロン台のアイロン台脚体の脚片を十分に縮めて縦向き姿勢で保管している状態を示す立面図
【図９】図１のアイロン台のアイロン受けを引き出した状態を示す斜視図
【図１０】従来のアイロン台を裏向けにして示す斜視図
【符号の説明】
【００４９】
１            アイロン台本体
２            アイロン台脚体
２Ａ          一方側脚片
２Ｂ          他方側脚片
２Ｃ          水平軸
２Ｄ          上端部軸支位置変更機構
２ａ，２ｂ    滑り止め部材
３            アイロン受け
３Ａ          （アイロン受けにおける）屈曲部
３ａ          滑り止め部材
【図１】
0003105423.tif 000003
【図２】
0003105423.tif 000004
【図３】
0003105423.tif 000005
【図４】
0003105423.tif 000006
【図５】
0003105423.tif 000007
【図６】
0003105423.tif 000008
【図７】
0003105423.tif 000009
【図８】
0003105423.tif 000010
【図９】
0003105423.tif 000011
【図１０】
0003105423.tif 000012